(57)【要約】装置は、ビデオ信号を処理する処理回路、及び当該ビデオ信号に関連する情報を第１の動作モードで格納するメモリー（１０）を有する。装置は、無線受信機（２０）又は音声信号を受信する他の音声受信回路（１、５）、及びメモリー（１０）内の受信音声信号の格納及び読み出しを調停する制御部（２４）を更に有する。ユーザーにとって装置の価値を向上するため、装置がビデオ信号を処理するために使用されていない準スタンバイモードの間、音声信号は、メモリー（１０）に格納され、及びメモリー（１０）から読み出されて良い。
2008510346.tif 000002
【特許請求の範囲】
【請求項１】
装置であって：
−ビデオ信号を処理する処理回路；
−前記ビデオ信号及び／又は文字多重放送情報の質を高める及び／又は変換するため、第１の動作モードで、前記ビデオ信号に関連する情報を格納するメモリー；
−音声信号を受信する手段；
−前記音声信号を前記メモリーへ、前記処理回路がビデオ信号を処理しない第２の動作モードで格納するよう調停する制御手段；及び
−前記音声信号を前記メモリーから、前記第２の動作モードで読み出す手段、
を有する装置。
【請求項２】
前記制御手段は、前記音声信号を前記ビデオメモリーへ、圧縮して及び／又はモノラル形式で格納する調停をするよう適応される、請求項１記載の装置。
【請求項３】
前記受信する手段は、無線受信機を有する、請求項１記載の装置。
【請求項４】
前記受信する手段は、ビデオ処理装置を有する、請求項１記載の装置。
【請求項５】
前記受信する手段に供給されるべき電力を有効にする制御ユニットを更に有し、前記制御手段及び前記メモリーは、前記音声信号を格納する時間期間の間、前記装置の前記音声信号を受信又は制御又は格納する必要が無い他のユニットへ電力を供給する間、実質的に無効にされる、請求項１記載の装置。
【請求項６】
前記音声信号を格納する時間期間の間、前記受信する手段へ供給されるべき電力を有効にする制御ユニットを更に有する、請求項１記載の装置。
【請求項７】
方法であって、ビデオ信号を処理し、前記方法は：
−前記ビデオ信号及び／又は文字多重放送情報の質を高める又は変換するため、第１の動作モードで、前記ビデオ信号に関連する情報をメモリーに格納する段階；
−音声信号を受信する段階；
−前記音声信号を前記メモリーへ、ビデオ信号を処理する回路が前記ビデオ信号を処理しない第２の動作モードで格納する段階；及び
−前記音声信号を前記メモリーから、前記第２の動作モードで読み出す段階、
を有する方法。
【発明の詳細な説明】
【技術分野】
【０００１】
本発明は、ビデオ信号を処理する、ビデオメモリーを有する装置に関する。
【背景技術】
【０００２】
このような種類の装置の例は、「１００Ｈｚ」テレビジョン受信機である。５０Ｈｚのフレーム周波数を有するＴＶ信号は、１００Ｈｚフレーム周波数を有する信号に変換されるので、邪魔な領域フリッカーを有さないより多くの平静な画像が、ブラウン管又は平面ディスプレイの画面に表示される。ある例では、到来するＴＶ信号のフレーム全体のそれぞれは、ビデオメモリーに格納される。そして続いて、ビデオメモリーは２回読み出され、受信したＴＶフレーム毎に、画面表示用に、２フレームを得る。
【０００３】
フレームレートを倍にするために必要なメモリーに加え、ＴＶ受信機は、しばしば文字多重放送ページを格納する追加のメモリーを有する。文字多重放送ページは、ビデオ信号の２つの連続するフレームの間の帰線期間の間に、次々に送信される文字ページである。多くの異なる文字多重放送ページが送信される場合、ユーザーは、しばしば、文字多重放送ページが受信されるまで長時間待たなければならない。特定の所望の文字多重放送ページの受け入れ時間は、多数の文字多重放送ページを、事前にメモリーに格納することにより大きく削減され得る。ユーザーは、従って、所望の文字多重放送情報をメモリーから必要に応じて迅速に読み出し得る。現在、フィリップスのＴＶ受信機では、４ＭＢのＳＤＲＡＭメモリーチップが使用されている。当該４ＭＢのうちの２ＭＢは、ビデオ処理の役目をし、残りの２ＭＢは、文字多重放送情報の格納の役目をする。この用途では、メモリー全体は、「メモリー」の語で参照される。将来、このメモリーの大きさは、より多くの文字多重放送ページを格納するため、及び／又は特にＬＣＤ−ＴＶ又はプラズマＴＶのような平面型分野におけるより高機能なビデオ処理を可能にするため、更に増大することが予想される。
【発明の開示】
【発明が解決しようとする課題】
【０００４】
本発明の目的は、実質的に装置の価格を増大することなく、テレビジョン装置の価値をユーザーにとって実質的に向上することである。
【課題を解決するための手段】
【０００５】
本発明は、独立請求項により定められる。従属請求項は、有利な実施例を定める。
【０００６】
第１の動作モードでは、メモリーは、ビデオ信号を処理するために、例えばビデオ信号の質を高めるため、又は信号を別の形式に変換するために使用される。処理の例は、１００Ｈｚテレビジョン受信機で使用されるようなフレームレートの倍増、通常シーラーにより行われるような形式変換、及び１つ以上のビデオ信号の同時表示の実現（例えば画像内画像機能の実現）である。
【０００７】
本発明は、例えば組み込み型無線受信機を備えたテレビジョン装置で使用されて良い。別の動作モード、例えば準スタンバイモードでは、如何なるビデオも処理されず、ユーザーは、無線受信機を所望のチャネルに合わせ、そして所望の音声信号が当該チャネルから格納される時間枠を設定する。所望の信号は、例えば、ニュース速報又は株式情報又は好みの音楽番組であって良い。準スタンバイモードの間、それら所望の信号は、従ってメモリーに格納され、そしてユーザーは何時でも何度でも必要に応じ当該信号を視聴できる。
【０００８】
本発明はまた、テレビジョン番組の音声信号、当該テレビジョン装置と結合された外部装置から得た音声信号、又はネットワーク接続、例えばインターネット接続を介し得た音声信号を格納するために使用されて良い。例えば装置又は当該装置のリモコンユニットにある専用のボタンで装置の電源を入れると、最初に音声信号が読み出される。装置はまた、テレビジョンチューナー、音声／ビデオ増幅器又は受信機、衛星チューナー、又はビデオ信号に関連する情報の処理を有する他の如何なる装置であって良い。
【０００９】
通常、テレビジョン装置には、３個の電力モードがある。
−装置が完全に電源を切られた「電源オフ」；−テレビジョンチューナー、ビデオ及び文字多重放送処理、ビデオメモリー、音声処理、ビデオ及び音声出力段、同期及び偏向段、及び制御ユニットのような、全てのテレビジョン機能が作動された「電源オン」；−制御ユニット及び電源ユニット（の一部）のみが「オン」であり、他の全てのユニットが「オフ」である、「スタンバイモード」、である。
【００１０】
ある実施例では、「準スタンバイ」モードでは、実行中のソフトウェアを有する制御ユニットは別にして、無線チューナー、音声処理及び音声出力段及びビデオメモリーは電源が入っている。特にＴＶ画面上の表示専用の全てのビデオ処理回路及び／又は機能は、電力を節約するためスイッチが切られる。
【００１１】
留意すべき点は、テレビジョン受信機がチューナー及び／又は無線信号のＩＦ段を必ずしも有する必要がないことである。受信機はまた、勿論、テレビジョン受信機が当該テレビジョン受信機へ外部無線受信機を接続するための音声入力を有する場合、外部無線受信機と共に使用され得る。望ましくは、外部無線受信機は、制御信号をテレビジョン受信機との間で交換可能である。
【００１２】
現在、第１の動作モードでビデオ信号を格納するために使用される通常の４ＭＢのメモリーは、約７分期間の２チャネルの無線番組信号を格納できる。より長い期間の無線番組が所望の場合、無線番組信号は、望ましくはメモリーに圧縮形式で、例えばＭＰ３又はＷＭＡ形式で格納される。代案として又は加えて、無線番組信号は、モノラル（１チャネル）形式で格納され得る。
【００１３】
本発明は、添付の図面を参照して説明される。
【発明を実施するための最良の形態】
【００１４】
図１のテレビジョン装置は、テレビジョンチューニング及びビデオＩＦユニット１を有する。テレビジョンチューニング及びビデオＩＦ部１は、アンテナ入力２及び出力端子３を備える。出力端子３は、ビデオ処理装置５の入力端子４と接続される。このビデオ処理装置５の出力６は、ビデオ信号をビデオ出力ユニット７へ供給する。ビデオ出力部７は、赤、緑及び青のビデオ信号を画像表示管又はパネル８へ送出する。ビデオ処理装置５は、第１のメモリー制御部９を通じ、第１の動作モードでビデオ信号を格納するメモリー１０と結合される。第１のメモリー制御部９は、ビデオ信号をビデオ処理装置５からメモリー１０へ格納し、そしてビデオ信号をメモリー１０からビデオ処理装置５へ読み戻す。こうすることにより、ビデオ信号のフレームレートを倍増する。ユニット５で処理されたビデオ信号がアナログ形式である場合、第１のメモリー制御部９は、ビデオ信号をデジタル形式で格納可能にするＡＤ及びＤＡコンバーターを有する。
【００１５】
ビデオ処理装置５は、多重形式又は分離された形式の何れかでビデオ信号を伴う音声信号を出力する第１の出力端子１１を更に有する。この音声信号は、音声処理装置１３の入力端子１２へ供給される。音声処理装置は、当該音声信号から、左及び右の音声信号を、音声処理装置１３の出力端子１４及び１５において引き出す。これら左及び右の音声信号は、左及び右の音声出力段１６及び１７を通じて、拡声器１８及び１９へそれぞれ供給される。
【００１６】
上述の構成は、標準的な従来技術であり、更なる説明は必要ない。上述の構成は、本発明の範囲から逸脱することなく多様に変更され得る。例えば、この構成は、文字多重放送復号機能を有し、メモリー１０を利用し複数の文字多重放送ページを格納して良い。
【００１７】
更に、本発明の実施例によると、図のテレビジョン装置は、チューニング、中間周波数の増幅、及びアンテナ入力端子２１を通じて受信される無線信号の復調のための無線ヘッドエンド２０を設けられる。復調された音声信号は、ヘッドエンド２０の出力端子２２において入手可能であり、第２のメモリー制御部２４の入力端子２３へ供給される。この第２の制御部２４は、音声信号を、無線ヘッドエンドからメモリー１０へ、第２の動作モードで格納するよう調停する。第２のメモリー制御部２４の第２の機能は、メモリー１０に格納された音声信号を読み出し、これらの信号を出力端子２５において出力し、そしてこれらを音声処理装置１２の第２の入力端子２６へ印加することである。
【００１８】
装置は、制御ユニット２７及び電源ブロック２８を更に有する。制御ユニットは、制御コマンドを、例えばリモコンから受信し、望ましくはＰＣバスのようなデジタル制御バス２９を通じ装置のそれぞれのユニットを制御する。電源ブロック２８は、電源電圧Ｖ０を供給し制御ユニット２７に電力を供給し、１つ以上の電源電圧Ｖ１を供給しメモリー１０及び音声段１３、１６及び１７に電力を供給し、１つ以上の電源電圧Ｖ２を供給しビデオ段１、５、７及び９に電力を供給し、並びに１つ以上の電源電圧Ｖ３を供給し無線ヘッドエンド２０及び第２のメモリー制御部２４に電力を供給する。電源ブロック２８は、如何なる電源電圧も全く供給されない「オフ」モード、制御ユニット２７に電力を供給する電圧Ｖ０だけが供給される「スタンバイ」モード、及び更に電源電圧Ｖ１及びＶ２が供給され、装置が動作可能なビデオ機構及び音声機構及びビデオ信号のフレームレートを増大するメモリー１０を備えた通常のＴＶ受信機として機能する「オン」モードであって良い。「準スタンバイ」モードでは、電圧Ｖ０、Ｖ１及びＶ３が供給される。従って無線ヘッドエンド２０は動作可能であり、第２の制御部２４及びビデオメモリー１０は動作可能であり音声信号を無線ヘッドエンド２０から格納し読み出し、及び音声チャネル１３、１６、１７は動作可能でありメモリー１０から読み出された音声信号を再生する。
【００１９】
留意すべき点は、無線ヘッドエンドの設定、つまりチャネル選択及び所望の番組の選択のタイマー及び時間期間の設定が、「画面表示」を介し行われることである。この設定は、「準スタンバイ」モードの前に、つまりブラウン管又はパネル１８の表示がアクティブのままである「オン」モードの間に行われなければならない。
【００２０】
準スタンバイモードでは、無線ヘッドエンド２０へ供給される電圧Ｖ３の供給は、所望の番組を受信する時間期間に制限されて良い。同時に音声チャネル１３、１６、１７へ供給される電圧Ｖ１の供給は、音声信号がビデオメモリー１０から読み出される時間期間に制限されて良い。
【００２１】
別の実施例では、ビデオ信号と共に受信されたような音声信号は、メモリー１０へ格納される。この場合、出力端子１１はまた、第２の制御部２４の入力と結合される（示されない）。この実施例では、電圧Ｖ２は、チューニング及びＩＦユニット１及びビデオ処理装置５へ供給され、同時に音声信号は準スタンバイモードで格納されるべきである。
【００２２】
留意すべき点は、以上に説明された実施例は、本発明を制限するものではないことである。当業者は、請求の範囲から逸脱することなく、多くの代替の実施例を考案できるだろう。請求項では、括弧内の如何なる参照符号も、請求項を制限すると見なされるべきではない。「有する」の語及びその活用の使用は、請求項に記載された以外の構成要素又は段階の存在を排除するものではない。要素に付される単数表記の語は、当該要素の複数の存在を排除するものではない。本発明は、複数の個別の要素を有するハードウェアにより、及び適切に設定されたコンピューターにより実施され得る。複数の手段を列挙した装置の請求項では、これら複数の手段は、１つ及び同一のハードウェア要素により実施され得る。特定の手段が相互に異なる従属請求項で引用されることは、これら手段の組み合わせが効果的に利用できないことを示すものではない。
【図面の簡単な説明】
【００２３】
【図１】本発明による装置の例の概略図を示す。
【図１】
2008510346.tif 000003
【国際調査報告】
2008510346.tif 000004
2008510346.tif 000005